(57)【要約】【課題】未製版マスタを頻繁に巻装することによるマスタ消費量増加や、更にはドラムスクリーンの長期間剥き出しによる過剰乾燥等の不具合を防ぎつつ、画像異常や文書機密漏洩の元となる、残像現像を抑制することができる孔版印刷装置を提供する。【解決手段】本発明は、製版されたマスタ７９を、印刷ドラム６０の外周面に巻装し、印刷ドラム外周のマスタにインキを供給し、押圧手段６６により印刷ドラム外周のマスタに対して印刷用紙５６を押し付けて該印刷用紙上に印刷画像を形成する孔版印刷装置において、印刷後の使用済みマスタ７９を印刷ドラム６０から剥離する手段８０と、その剥離した使用済みマスタを印刷ドラム６０に再巻装する手段を有する構成とした。これにより、印刷後の使用済みマスタを一旦、印刷ドラムから剥離した後、再巻装することができるので、画像異常や文書機密漏洩の元となる、残像現像の発生を抑制することができる。【選択図】図１
2009143076.tif 000002
【特許請求の範囲】
【請求項１】
製版された感熱孔版原紙（以下、マスタと言う）を、円筒状版胴（以下、印刷ドラムと言う）の外周面に巻装し、前記印刷ドラム外周の前記マスタにインキを供給し、押圧手段により前記印刷ドラム外周のマスタに対して印刷用紙を押し付けて該印刷用紙上に印刷画像を形成する輪転式の孔版印刷装置において、
印刷後の使用済みマスタを前記印刷ドラムから剥離する手段と、その剥離した使用済みマスタを前記印刷ドラムに再巻装する手段を有することを特徴とする孔版印刷装置。
【請求項２】
請求項１記載の孔版印刷装置において、
印刷後の使用済みマスタを前記印刷ドラムから剥離し排版部に排版する手段と、前記排版部に一旦排版した使用済みマスタを前記印刷ドラムに再巻装する手段を有することを特徴とする孔版印刷装置。
【請求項３】
請求項１記載の孔版印刷装置において、
印刷後の使用済みマスタを前記印刷ドラムから剥離し排版部に排版する排版時に、前記マスタにテンションを加えた状態で剥離と再巻装の動作を繰り返し行いながら排版を行う手段を有することを特徴とする孔版印刷装置。
【請求項４】
請求項２または３に記載の孔版印刷装置において、
印刷後の使用済みマスタを前記印刷ドラムから剥離し排版部に排版する排版時には、剥離位置のマスタにローラを押し付けながら排版を行うことを特徴とする孔版印刷装置。
【請求項５】
請求項２または４に記載の孔版印刷装置において、
一定時間、使用済みマスタが排版されなかった場合、該使用済みマスタを前記印刷ドラムから一旦剥離した後、再巻装を行うことを特徴とする孔版印刷装置。
【請求項６】
請求項３または４に記載の孔版印刷装置において、
一定時間、使用済みマスタが排版されなかった場合、前記剥離と再巻装の動作を繰り返し行いながら排版することを特徴とする孔版印刷装置。
【発明の詳細な説明】
【技術分野】
【０００１】
本発明は、製版された感熱孔版原紙（以下、マスタと言う）を、円筒状版胴（以下、印刷ドラムと言う）の外周面に巻装し、前記印刷ドラム外周の前記マスタにインキを供給し、押圧手段により前記印刷ドラム外周のマスタに対して印刷用紙を押し付けて該印刷用紙上に印刷画像を形成する輪転式の孔版印刷装置に関する。
【背景技術】
【０００２】
簡便な印刷装置として、感熱デジタル製版式の孔版印刷装置が良く知られている。この孔版印刷装置では、原稿読み取り部（以下、スキャナと言う）によって読み取られた画像信号、あるいはオンライン接続により送られた画像データ等に基づき、熱可塑性樹脂フィルムと多孔質の支持体として、和紙繊維及び合成繊維を混抄した物等を貼り合わせたラミネート構造のマスタを用いて、このマスタのフィルム面を製版手段としてのサーマルヘッドの発熱素子に接触させ、上記画像信号に基づいてサーマルヘッドを作動させることにより、マスタのフィルム面を選択的に熱溶融穿孔して穿孔画像を形成し、プラテンローラ等でマスタを副走査方向に移動させながら、その穿孔された製版済みのマスタを、印刷ドラムの外周面上に自動的に巻装し、版胴内部のインキ供給手段よりインキを供給し、圧胴又はプレスローラ等の押圧手段で印刷ドラムの回転に同調して給紙された印刷用紙を、マスタを介した版胴表面に連続的に押し付けることにより、印刷ドラムの開孔部分、更にはマスタの穿孔部分よりインキを滲み出させ、このインキを印刷用紙表面に適量転移させて印刷を行うようになっている。
【０００３】
このような孔版印刷装置では、印刷終了後から次の製版指示動作が行われる迄の間、印刷終了時点の製版済みマスタ（使用済みマスタ）を巻装したまま機械を待機状態とするのが一般的である。これはマスタを剥離した状態で長時間放置した場合に、剥き出しになったドラムスクリーン上に異物が付着したり、インキ表層が空気中に暴露されることによってインキ組成が変化し画像劣化を引き起こす要因となったり、或いは使用者がドラム入れ替え等でドラム抜き差しをした場合に誤って手や服を汚してしまったりすることなどが無いように配慮されているものである。
【０００４】
しかしながら、印刷終了時点の製版済みマスタを巻装したままで、或る一定時間以上機械を待機（放置）させた場合に、製版済みマスタ上の穿孔部分と非穿孔部分とではインキの組成変化に違いが起こる。穿孔部分のインキはより多く空気に触れることで、インキ組成中の水相成分の蒸発が顕著となり、インキが緩み易く（粘度低下し易く）なるのに対し、非穿孔部分のインキは表面がマスタにより保護され空気に触れる面積が少ないことでインキ組成の変化が起こり難い。
【０００５】
そして、機械の未使用待機時間の経過と共にその現象が顕著に現れ始め、次の製版〜印刷を行った場合に、いわゆる“残像現象”として画像上（特に写真画像部分）に残像画像が出現し、初期の数十枚程度は印刷物としての使用に差し障るばかりか、前回の原稿イメージが推察されてしまうことで、機密保持上も大きな問題を有していた。
【０００６】
以上のような孔版印刷装置の不具合に対して、残像現象の回避効果が見込めるものとして、以下のような提案がなされている。
例えば特許文献１（特公昭６２−０３０１１７号公報）には、孔版式製版印刷装置において、「印刷後の使用済み孔版原紙からの機密漏洩を防ぐために機密保持モードを有し、機密保持モード時には前回の印刷作業済みの孔版印刷原紙を排版し、無製版の孔版印刷用原紙を製版手段を作動させずに着版させる」ことが記載されている。
【０００７】
また、特許文献２（特開２００１−２１３０３９号公報）には、孔版印刷装置において、「穿孔された孔版原紙が版胴に装着された状態で長時間放置されることによるインキの目詰まりを防止するために、最終印刷動作が機密製版でない場合には、最終印刷動作の終了時点から所定の設定時間が経過すると、版胴に装着された孔版原紙を取り外し、且つ無穿孔の孔版原紙を版胴に巻き付け装着する自動機密製版動作を行う」ことが記載されている。
【０００８】
さらに、特許文献３（特許第３１４３２８１号公報）には、孔版印刷装置において、「使用済マスタを剥離する直前若しくはその後、摺接部材を版胴の外周面に接離しつつ、版胴を所定数回転することにより、版胴の外周表層部のインキと版胴内周側から供給される新しいインキとを混ぜ合わせ均一化し、ゴースト現象の発生を防止する」ことが記載されている。
【０００９】
しかしながら、これらの従来技術は以下のような不具合を有している。
特許文献１並びに特許文献２に記載の方式では、その効果は認められるものの、新たに無製版マスタを巻装する動作により、毎回マスタを１版分消費してしまうため、１回の印刷に必要な製版マスタが実質２版分必要となり、マスタの消費コストを増大させてしまうという問題がある。
また、特許文献３に記載の方法では、版胴の外周面に接離する摺接部材を新たに設ける必要があり、コストアップは勿論のこと、使用者がカラードラムを入れ替えて使用している場合は、摺接部材の表面上に様々な色のインキが付着し、印刷ドラムのドラムスクリーン上で混色され、画像不具合となってしまうという不具合がある。
【００１０】
【特許文献１】特公昭６２−０３０１１７号公報
【特許文献２】特開２００１−２１３０３９号公報
【特許文献３】特許第３１４３２８１号公報
【発明の開示】
【発明が解決しようとする課題】
【００１１】
前述の従来技術では、残像現象に対し一定の効果は認められるものの、毎回無製版マスタを消費するためにマスタ消費コストを増大させてしまったり、新たに摺接部材を設ける必要からコストアップは勿論のこと、カラードラム併用の際に混色による不具合を発生させてしまったり、毎回頻繁に排版が行われることで追加印刷作業に支障をきたしたり、必要以上にドラムスクリーンが剥き出しになる時間が増加し、更にはその後暫くの間機械が使用されなかった場合には、そのままの状態が長時間に渡って継続され、画質劣化を引き起こす要因となったり、或いは使用者がドラム入れ替え等でドラムを抜き差しした場合に誤って手や服を汚してしまったり等の不具合を有していた。
【００１２】
本発明は上記事情に鑑みてなされたものであり、マスタを、印刷ドラムの外周面に巻装し、前記印刷ドラム外周の前記マスタにインキを供給し、押圧手段により前記印刷ドラム外周のマスタに対して印刷用紙を押し付けて該印刷用紙上に印刷画像を形成する輪転式の孔版印刷装置において、前回印刷後の使用済みマスタの穿孔部分と非穿孔部分とで、インキ組成中の水相成分蒸発量の差異によって発生する、いわゆるインキ緩み差に起因する残像現象に伴う画像異常発生や、文書機密漏洩を抑制するための制御動作手段を有する孔版印刷装置を提供することを目的としている。
そして本発明では、未製版マスタを頻繁に巻装することによるマスタ消費量増加や、更にはドラムスクリーンの長期間剥き出しによる過剰乾燥等の不具合を防ぎつつ、画像異常や文書機密漏洩の元となる、残像現像を抑制することができる孔版印刷装置を提供することを目的とする。
【課題を解決するための手段】
【００１３】
上記目的を達成するため、本発明では以下のような解決手段を採っている。
本発明の第１の手段は、製版された感熱孔版原紙（以下、マスタと言う）を、円筒状版胴（以下、印刷ドラムと言う）の外周面に巻装し、前記印刷ドラム外周の前記マスタにインキを供給し、押圧手段により前記印刷ドラム外周のマスタに対して印刷用紙を押し付けて該印刷用紙上に印刷画像を形成する輪転式の孔版印刷装置において、印刷後の使用済みマスタを前記印刷ドラムから剥離する手段と、その剥離した使用済みマスタを前記印刷ドラムに再巻装する手段を有することを特徴とする。
【００１４】
本発明の第２の手段は、第１の手段の孔版印刷装置において、印刷後の使用済みマスタを前記印刷ドラムから剥離し排版部に排版する手段と、前記排版部に一旦排版した使用済みマスタを前記印刷ドラムに再巻装する手段を有することを特徴とする。
また、本発明の第３の手段は、第１の手段の孔版印刷装置において、印刷後の使用済みマスタを前記印刷ドラムから剥離し排版部に排版する排版時に、前記マスタにテンションを加えた状態で剥離と再巻装の動作を繰り返し行いながら排版を行う手段を有することを特徴とする。
【００１５】
本発明の第４の手段は、第２または第３の手段の孔版印刷装置において、印刷後の使用済みマスタを前記印刷ドラムから剥離し排版部に排版する排版時には、剥離位置のマスタにローラを押し付けながら排版を行うことを特徴とする。
また、本発明の第５の手段は、第２または第４の手段の孔版印刷装置において、一定時間、使用済みマスタが排版されなかった場合、該使用済みマスタを前記印刷ドラムから一旦剥離した後、再巻装を行うことを特徴とする。
さらに本発明の第６の手段は、第３または第４の手段の孔版印刷装置において、一定時間、使用済みマスタが排版されなかった場合、前記剥離と再巻装の動作を繰り返し行いながら排版することを特徴とする。
【発明の効果】
【００１６】
本発明の第１、第２の手段の孔版印刷装置によれば、印刷後の使用済みマスタを前記印刷ドラムから剥離する手段と、その剥離した使用済みマスタを前記印刷ドラムに再巻装する手段を有しており、印刷後の使用済みマスタを前記印刷ドラムから剥離し排版部に排版し、その排版部に一旦排版した使用済みマスタを印刷ドラムに再巻装することができるので、ドラムスクリーンの長期間剥き出しによる過剰乾燥等の不具合を防ぎつつ、画像異常や文書機密漏洩の元となる、残像現像の発生を防止することができる。また、本発明では、一旦剥離した使用済みマスタを再巻装するので、部品追加コストの発生を抑え、新たに無製版マスタを巻装する動作によりマスタ消費コストを増大させてしまうということもなく、残像現象を効果的に抑制することが可能となる。
【００１７】
第３の手段の孔版印刷装置によれば、印刷後の使用済みマスタを前記印刷ドラムから剥離し排版部に排版する排版時に、前記マスタにテンションを加えた状態で剥離と再巻装の動作を繰り返し行いながら排版を行うので、第１、第２の手段と同様の効果に加え、再巻装するときのマスタがよれよれになりにくいので、シワの無い状態で再巻装することが可能であり、より効果的に残像現象を防止することができる。
【００１８】
第４の手段の孔版印刷装置によれば、第２または第３の手段の効果に加え、印刷後の使用済みマスタを前記印刷ドラムから剥離し排版部に排版する排版時には、剥離位置のマスタにローラを押し付けながら排版を行うので、効果的に残像画像を押しつぶすことが可能になり、より効果的に残像現象を防止することができる。
また、第５、第６の手段の孔版印刷装置によれば、第２、第３、第４のいずれかの手段の効果に加え、最も残像画像が発生し易い条件の時だけ、再巻装動作を行うので、その他のあまり残像画像の影響が少ない時には、通常の排版動作を素早く完了することができるので、作業効率を良くすることができる。
【発明を実施するための最良の形態】
【００１９】
以下、添付図面を参照して本発明を実施するための最良の形態について説明する。
図１は本発明の一実施形態を示す孔版印刷装置の概略構成図であり、一般的な孔版印刷装置の全体構成の一例を示している。まず、この孔版印刷装置の全体構成と孔版印刷プロセスについて簡単に説明する。
【００２０】
図１において、符号５０は孔版印刷装置の本体フレームを示している。この本体フレーム５０内の上部にある符合５４で示す部分は原稿画像読取部を構成し、符号５５はコンタクトガラス上に置かれた原稿を表わしている。
【００２１】
符号６０〜６５で示す部分は多孔性円筒状印刷ドラムユニットであり、印刷ドラム（版胴）、インキローラ６１、ドクタローラ６２、インキ量検知センサ６３、インキ分配器６４、マスタクランパ６５等で構成されている。
また、符号６６及び６７で示す部分は印刷用紙を印刷ドラムに押圧する押圧手段である印圧部であり、圧胴６６及び印刷用紙クランパ６７で構成されている。なお、押圧手段としては、圧胴の他にプレスローラ等を用いることもできる。
【００２２】
符号７０〜７８で示す部分はマスタ７９の製版及び給版部であり、マスタロール７０、押えローラ７１、プラテンローラ７２、サーマルヘッド７３、送りローラ７４、給版ローラ７５、タワミ収容部７６、吸引ファン７７、カッター７８等で構成され、サーマルヘッド７３で製版したマスタ７９をカッター７８で所定の長さにカットし、給版ローラ７５で印刷ドラム６０に給版する。
【００２３】
符号８０〜８３で示す部分は排版部であり、使用済みマスタの剥離、排版手段である一対の排版ローラ８０と、圧縮板８１及び排版ボックス８２等で構成され、印刷後の使用済みマスタを排版ローラ８０で印刷ドラム６０から剥離して排版ボックス８２に排版し、排版済みマスタ８３を圧縮板８１で圧縮して排版ボックス８２内に収容する。また、排版ローラ８０は正転、逆転、停止動作ができるようになっており、印刷ドラム６０から剥離した使用済みマスタを、印刷ドラム６０に再巻装する際にマスタにテンションをかける機能も有している。なお、印刷後の使用済みマスタ７９を印刷ドラム６０から剥離し排版する動作と、一旦剥離したマスタを印刷ドラム６０に再巻装する動作は、後述するメイン制御部１００で排版ローラ８０と印刷ドラム６０の駆動を制御して行う。
【００２４】
符号５１，５６並びに９０〜９３で示す部分は印刷用紙５６の給紙部であり、印刷用紙５６を積載した給紙台５１、給紙コロ９０、分離コロ９１、分離パッド９２、フィードローラ９３等で構成されている。
また、符号５２，５３，５７並びに９４〜９９で示す部分は排紙部であり、印刷済みの印刷用紙５７が排紙される排紙台５２、排紙台後側板５３、排紙剥離爪９４、吸着排紙入口ローラ９５、吸着排紙出口ローラ９６、用紙搬送ベルト９７、吸着ファン９８、エアーナイフユニット９９等で構成されている。
【００２５】
なお、本実施形態においては、符号５４で示したように原稿画像読取部を設けてあるが、ＰＣオンライン出力専用機等でコントローラを内蔵する場合には、原稿画像読取部を設けない構成としても構わない。
【００２６】
次に、図２は図１に示す孔版印刷装置の操作・表示部である操作パネルの一例を示している。そして、この操作パネルには、画像コントラストつまみ２００、プリント位置調整キー２０１、初期設定キー２０２、プリント位置設定キー２０３、プリンタ設定キー２０４、表示部２０５、設定確認キー２０６、プログラムキー２０７、リセットキー２０８、オンライン製版キー２０９、製版モード選択キー２１０、連続キー２１１、プリントモード選択キー２１２、主電源ランプ２１３、試し刷りキー２１４，２２１、データイン表示ランプ２１５、アラーム表示ランプ２１６、プリントスピードキー２１７、テンキー２１９、クリア／ストップキー２２０、スタートキー２２２、主電源キー２２３、液晶表示パネル２２４等が設けられている。
【００２７】
次に、図３は上記構成の孔版印刷装置の制御系の一例を示すブロック図である。制御系のメイン制御部１００は、マイクロコンピュータとクロック、タイマー、制御回路等で構成される中央処理装置（ＣＰＵ）１０１と、入・出力用のＩ／Ｏインターフェイス１０２と、制御用プログラムや制御情報が記憶されている読み出し専用メモリ（ＲＯＭ）１０３と、操作・表示部（図２に示した操作パネル）１０５からの各種入力・設定情報や装置内に設けた各種センサ（版胴センサ１１２、用紙サイズセンサ１１３、用紙センサ１１４、排紙センサ１１５、温度センサ１１６等）からの各種の検知情報が記憶される書き換え可能なメモリ（ＲＡＭ）１０４などで構成されており、原稿画像読取部（読取駆動手段）１０６、製版部（製版駆動手段）１０７、印刷部（印刷駆動手段）１０８、給紙部（給紙駆動手段）１０９、排版部（排版、再巻装駆動手段）１１０、排紙部（排紙駆動手段）１１１、エアーナイフユニット９９のエアー吐出機構１１７等の装置各部の駆動手段を、操作・表示部（操作パネル）１０５からの各種入力・設定情報や各種センサからの各種の検知情報に基づいて制御し、以下に示す排版、製版、印刷動作を制御する。
【００２８】
次に、本発明に係る孔版印刷装置の動作について、その概略構成も含めて図１並びに図２、図３を参照しながら以下に説明する。
先ずオペレータが原稿画像読取部５４の上部に配置された原稿受け台（コンタクトガラス面）上に印刷すべき画像を持つ原稿５５をセットし、図２に示す操作パネル上のプリントスピードキー２１７及びテンキー２１９等により所望の印刷条件を設定する。
その後。操作パネル上のスタートキー２２２を押下するとメイン制御部１００は排版部（排版、再巻装駆動手段）１１０の駆動を制御し、排版工程が開始される。すなわち印刷部１０８の印刷ドラム６０が図１中の矢印方向へ回転し、印刷ドラム６０の外周面に巻装された使用済みマスタ７９の先端部が排版ローラ８０に近づくと、マスタクランパ６５が開放されると共に排版部１１０が駆動し、排版ローラ８０が回転しつつマスタ端部をすくい上げ、排版ボックス８２内へと送り込みはじめる。
【００２９】
排版工程と平行して原稿画像読取部５４の読取駆動手段１０６が作動して原稿読取りが開始される。原稿画像読取部５４の構成及び動作は公知の「縮小光学系による原稿読取方式」で行われる。すなわち光源により照射された原稿５５表面からの反射光をミラー群で反射させ、レンズを通してＣＣＤ（光電変換素子）等から成る画像センサに入射し、センサ内で光電変換された電気信号をＡ／Ｄ（アナログ／デジタル）変換し、デジタル信号として処理する。
【００３０】
一方、このような原稿走査及び画像読取動作と平行して、メイン制御部１００は製版部（製版駆動手段）１０７の駆動を制御し、デジタル信号化された画像情報に基づき製版及び給版工程が行われる。
製版部においてマスタロール７０から引き出された未製版マスタは、プラテンローラ７２と送りローラ７４により、初期時に所定位置にセットされている。製版及び給版動作が開始されると、デジタル信号化された画像情報に基づき、サーマルヘッド７３上にある発熱素子が各々選択的に発熱すると共に、マスタが所定速度で順次送り出され、発熱素子に接触しているマスタの熱可塑性樹脂フィルム面が溶融穿孔されながら吸引ファンに吸引されることでタワミ収容部７６に収容される。このようにして画像情報に応じたマスタフィルム面の位置選択的な溶融穿孔により、画像情報が穿孔パターンとして書き込まれる。
【００３１】
画像情報が書き込まれて製版された製版済みマスタの先端は給版ローラ７５により印刷ドラム６０の外周部側へ向かって送り出され、ガイド板により給版位置状態にある印刷ドラム６０上のマスタクランパ６５へ向かって垂れ下がり、所定のタイミングでマスタクランパ６５により挟持されると、印刷ドラム６０は図１中の矢印方向（時計回り方向）へ回転しつつ外周面に製版済みのマスタを徐々に巻き付けていく。マスタ後端部は製版終了後にカッタ７８により所定の長さにカットされ、一版の製版済みマスタ７９が印刷ドラム６０の外周面上に完全に巻装されると、いわゆる給版工程が終了する。
【００３２】
次に上記の製版済みマスタの巻装と同時にメイン制御部１００は印刷部（印刷駆動手段）１０８、給紙部（給紙駆動手段）１０９、排紙部（排紙駆動手段）１１１、エアー吐出機構１１７等の駆動を制御し、印刷工程が開始される。
【００３３】
先ず、給紙台５１上に積載された印刷用紙５６内の最上位の１枚が、給紙コロ９０と分離コロ９１及び用紙分離パッド９２により、フィードローラ対９３に向けて図１中の矢印で示す用紙搬送方向に給送され、フィードローラ対９３により印刷ドラム６０の回転に同期した所定のタイミングで印刷ドラム６０と圧胴６６間に向けて送り出される。圧胴６６は図示しない印圧カム等の変位手段により、印刷ドラム６０の外周面に接離自在になっており、印刷ドラム６０に対して給送されてきた印刷用紙５６を押し付けて印刷画像を印刷用紙５６上に形成する押圧手段としての機能を有している。
【００３４】
そして給送されてきた印刷用紙５６の先端が圧胴６６上の印刷用紙クランパ６７に挟持されると、印刷ドラム６０の外周面の下方に離間されていた圧胴６６が図示しない印圧カムにより上昇されることにより、印刷ドラム６０の外周面上に巻装されている製版済みマスタ７９に押し付けられる。このようして印刷ドラム６０の多孔部を介して製版済みマスタ７９の穿孔パターン部から滲み出たインキが印刷用紙５６に転移されて印刷画像が形成される。
【００３５】
なお、印刷用紙の１枚目は通常版付け（試し刷り）と呼ばれ、新たに巻装されたマスタが印刷ドラム上に馴染みインキが十分に行き渡るように、所定の印刷速度よりもさらに遅い速度で印刷されて排紙される。
また、図２に示す操作パネル上の連続キー２１１が押下されていない場合は、版付け（試し刷り）の用紙が排紙された時点で機械は停止する。その時点でオペレータが印刷物の画像位置を適正化するために、プリント位置設定キー２０３を用いて画像位置調整をし、試し刷りキー２１４若しくは２２１により、再度画像位置の確認を行う場合もある。
【００３６】
一方、印刷ドラム６０の内部では、インキ分配器６４からインキローラ６１とドクタローラ６２とのギャップ部分にインキが供給され、インキ量検知センサ６３により所定量のインキ溜まりが形成される。
そして印刷ドラム６０が回転すると、その回転方向と同期してインキローラ６１とドクタローラ６２が回転し、インキが印刷ドラム６０の内周面にづ随時供給される。
【００３７】
印刷画像が形成された印刷用紙５７は、圧胴６６の印刷用紙クランパ６７から開放され、印刷ドラム６０自身の曲率と排紙剥離爪９４及びエアーナイフユニット９９により印刷ドラム６０から剥がされ、吸着排紙入口ローラ９５、吸着排紙出口ローラ９６、用紙搬送ベルト９７、吸着ファン９８から成る吸着搬送ユニットにより排紙部へ向けて搬送され、排紙台５２上に排紙されて積載される。
そして、給紙、印刷、排紙の各工程が、操作パネル上で予め設定した印刷枚数分繰り返し行われ、孔版印刷の全工程が終了する。
【００３８】
以上、本発明に係る孔版印刷装置の構成、動作の一実施形態を説明したが、本発明では、マスタ７９を、印刷ドラム６０の外周面に巻装し、印刷ドラム外周のマスタにインキを供給し、押圧手段（圧胴）６６により印刷ドラム外周のマスタに対して印刷用紙５６を押し付けて該印刷用紙上に印刷画像を形成する輪転式の孔版印刷装置において、前回印刷後の使用済みマスタの穿孔部分と非穿孔部分とで、インキ組成中の水相成分蒸発量の差異によって発生する、いわゆるインキ緩み差に起因する残像現象に伴う画像異常発生や、文書機密漏洩を抑制するための制御動作手段を有する孔版印刷装置を提供するものである。
すなわち本発明では、前述の従来技術のように未製版マスタを頻繁に巻装することによるマスタ消費量増加や、更にはドラムスクリーンの長期間剥き出しによる過剰乾燥等の不具合を防ぎつつ、画像異常や文書機密漏洩の元となる、残像現像を抑制することができる孔版印刷装置を提供するものである。
【００３９】
そして本発明の孔版印刷装置では、その具体的な手段として、以下のような構成を採っている。
（１）：印刷後の使用済みマスタ７９を印刷ドラム６０から剥離する手段と、その剥離した使用済みマスタ７９を印刷ドラム６０に再巻装する手段を有する構成とする。
（２）：（１）の構成に加え、印刷後の使用済みマスタ７９を印刷ドラム６０から剥離し排版部の排版ボックス８２に排版する手段と、排版部の排版ボックス８２に一旦排版した使用済みマスタ７９を印刷ドラム６０に再巻装する手段を有する構成とする。
（３）：（１）の構成に加え、印刷後の使用済みマスタ７９を印刷ドラム６０から剥離し排版部の排版ボックス８２に排版する排版時に、マスタにテンションを加えた状態で剥離と再巻装の動作を繰り返し行いながら排版を行う手段を有する構成とする。
（４）：（２）または（３）の構成に加え、印刷後の使用済みマスタ７９を印刷ドラム６０から剥離し排版部の排版ボックス８２に排版する排版時には、剥離位置のマスタに排版ローラを押し付けながら排版を行う構成とする。
（５）：（２）または（４）の構成に加え、一定時間、使用済みマスタ７９が排版されなかった場合、該使用済みマスタ７９を印刷ドラム６０から一旦剥離した後、再巻装を行う構成とする。
（６）：（３）または（４）の構成に加え、一定時間、使用済みマスタ７９が排版されなかった場合、剥離と再巻装の動作を繰り返し行いながら排版する構成とする。
【実施例】
【００４０】
以下、本発明の具体的な実施例を図４〜図１１を参照して説明する。なお、孔版印刷装置の基本的な構成、動作は図１〜図３を参照して説明した通りであり、図４〜図１１は本発明の実施例の特徴的な動作（特に、使用済みマスタの剥離、排版、再巻装の動作）を説明するための図である。従って各図においては図面の簡略化を図るために、印刷ドラム６０とマスタ７９及び排版部のみを図示してあり、その他の部分は図示を省略している。
【００４１】
［実施例１］
先ず、図４、図５を参照して第１の実施例の動作を説明する。
現在、孔版印刷装置に限らず、消費電力の低減のために、いわゆる“省電力モード”動作機能が付加されているのが一般的となっており、本実施例における孔版印刷装置においても同様の機能が付随している。ここで、省電力モードとは、操作パネル表示の消灯あるいは主電源ＯＦＦ動作等を行うことにより、待機時の電力消費を抑制する機能のことを指している。
【００４２】
前述の実施形態の印刷工程で所定枚数の印刷を行い、印刷終了後に次の動作の指示が何も無い状態が続くと、機械本体内のメイン制御部１００の中央処理装置（ＣＰＵ）１０１に備えられているタイマーのカウントが開始され、予め設定された所定時間に到達すると、省電力モードへ自動的に移行して機械待機状態となる（図４の（Ｉ−１）の状態）。
【００４３】
次に、オペレータが原稿画像読取部５４の上部に配置された原稿受け台（コンタクトガラス面）上に印刷すべき画像を持つ原稿５５をセットし、図２に示す操作パネル上のプリントスピードキー２１７及びテンキー２１９等により所望の印刷条件を設定する。
その後、操作パネル上のスタートキー２２２を押下すると前述の排版工程が開始される。すなわち印刷ドラム６０が図１中の矢印方向（時計回り方向）へ回転した後、停止する。そして、印刷ドラム６０の外周面に巻装された使用済みマスタ７９の後端部が、剥離、排版手段である一対の排版ローラ８０からなるローラユニットに近づくと、排版ローラ８０が回転しつつマスタ後端部をすくい上げ、マスタ７９の後端が排版ローラ８０に咥え込まれる（図４の（Ｉ−２）の状態）。
【００４４】
マスタ７９の後端が排版ローラ８０に咥え込まれた後、印刷ドラム６０は逆方向（反時計回り方向）に回転し、使用済みのマスタ７９は排版ローラ８０の回転により印刷ドラム６０から剥離され排版ボックス８２内に送り込まれる。
マスタ７９の所定量が排版ボックス８２内に送り込まれると、印刷ドラム６０及び排版ローラ８０の回転が停止する（図５の（Ｉ−３）の状態）。なお、この状態では、再巻装を行うために、印刷ドラム６０のマスタクランパ６５はマスタ先端を挟持したままである。
【００４５】
続いて、印刷ドラム６０が正転方向（時計回り方向）に回転すると、排版ボックス８２内のマスタを引き出しつつ、使用済みマスタ７９を再び印刷ドラム６０上に巻き付ける（再巻装動作）（図５の（Ｉ−４）の状態）。
【００４６】
以上のようにして、印刷ドラム６０から一旦剥離した使用済みマスタ７９を、再び印刷ドラム６０に巻き付ける（再巻装する）ことにより、印刷ドラム６０上の残像画像を押し潰したり、マスタ７９に付着していたインキと混ぜることで、残像画像を判らなくすることができる。
さらに、この時、排版ローラ８０の回転駆動は停止し、引き出されるマスタ７９に対して弱いテンションを加える状態とし、マスタ７９を印刷ドラム６０上に弱いテンションをかけた状態で再巻装する。
【００４７】
以上のようにして使用済みマスタ７９を印刷ドラム６０に巻き付けた後、再度、排版動作を行う。この再度の排版動作では、マスタクランパ６５が開放されると共に排版部１１０が駆動し、排版ローラ８０が回転しつつマスタ後端部を排版ボックス８２内へと送り込みはじめる。この時、排版ローラ８０の周速を印刷ドラム６０よりも速い設定とし、ラフに巻かれたマスタ７９を引っ張りながら剥離し、マスタ７９と印刷ドラム６０との間で滑りを生じさせる。これにより、残像画像をより効果的に消去できる。
なお、使用済みマスタ７９の排版ボックス８２への排版後は、前述したように製版済みマスタの給版を行う。
【００４８】
［実施例２］
次に、図６、図７を参照して第２の実施例の動作を説明する。本実施例では、実施例１と構成は同じだが、排版動作の仕方が異なる。
現在、孔版印刷装置に限らず、消費電力の低減のために、いわゆる“省電力モード”動作機能が付加されているのが一般的となっており、本実施例における孔版印刷装置においても同様の機能が付随している。ここで、省電力モードとは、操作パネル表示の消灯あるいは主電源ＯＦＦ動作等を行うことにより、待機時の電力消費を抑制する機能のことを指している。
【００４９】
前述の実施形態の印刷工程で所定枚数の印刷を行い、印刷終了後に次の動作の指示が何も無い状態が続くと、機械本体内のメイン制御部１００の中央処理装置（ＣＰＵ）１０１に備えられているタイマーのカウントが開始され、予め設定された所定時間に到達すると、省電力モードへ自動的に移行して機械待機状態となる（図６の（II−１）の状態）。
【００５０】
次に、オペレータが原稿画像読取部５４の上部に配置された原稿受け台（コンタクトガラス面）上に印刷すべき画像を持つ原稿５５をセットし、図２に示す操作パネル上のプリントスピードキー２１７及びテンキー２１９等により所望の印刷条件を設定する。
その後、操作パネル上のスタートキー２２２を押下すると前述の排版工程が開始される。すなわち印刷ドラム６０が図１中の矢印方向（時計回り方向）へ回転した後、停止する。そして、印刷ドラム６０の外周面に巻装された使用済みマスタ７９の後端部が、剥離、排版手段である一対の排版ローラ８０からなるローラユニットに近づくと、排版ローラ８０が回転しつつマスタ後端部をすくい上げ、マスタ７９の後端が排版ローラ８０に咥え込まれる（図６の（II−２）の状態）。
【００５１】
マスタ７９の後端が排版ローラ８０に咥え込まれた後、印刷ドラム６０は逆方向（反時計回り方向）に回転し、使用済みのマスタ７９は排版ローラ８０の回転により印刷ドラム６０から剥離され排版ボックス８２内に所定量送り込まれる（ここでは、例えば、約２０ｍｍ程度が排版ボックス８２内に送り込まれるとする）。
マスタ７９の所定の量が排版ボックス８２内に送り込まれると、印刷ドラム６０及び排版ローラ８０の回転が停止する（図７の（II−３）の状態）。なお、この状態では、再巻装を行うために、印刷ドラム６０のマスタクランパ６５はマスタ先端を挟持したままである。
【００５２】
続いて、印刷ドラム６０が停止した後、印刷ドラム６０が正転方向（時計回り方向）に回転を開始し、排版ボックス８２内のマスタを引き出し、所定量（例えば、約２０ｍｍ程度）の使用済みマスタ７９の再巻装を行う（図７の（II−４）の状態）。
そして本実施例では、上記のような使用済みマスタ７９の剥離と再巻装の動作を繰り返し行いながら、マスタを排版ボックス８２内に徐々に送り込み、排版を行う。
【００５３】
このように、本実施例では、印刷後の使用済みマスタ７９を印刷ドラム６０から剥離し排版部の排版ボックス８２に排版する排版時に、マスタ７９にテンションを加えた状態で剥離と再巻装の動作を繰り返し行いながら排版を行う。そして、使用済みマスタ７９を印刷ドラム６０に繰り返し巻き付ける動作を行うことで、印刷ドラム上の残像画像を押し潰したり、マスタに付着していたインキと混ぜることで、残像画像を判らなくすることができる。
【００５４】
また、本実施例の方式では、排版ボックス８２内からマスタを引き出すときに、引き出されるマスタ７９に対して排版ローラ８０で弱いテンションを加える状態としており、排版ボックス内でマスタがごちゃごちゃになりにくいので、マスタの再巻き付けが容易に行える。更に、排版ローラ８０によってテンションを加えながら使用済みマスタ７９の巻装を行うことにより、マスタを印刷ドラムの外周面に強く押し付けることができ、より効果的に残像画像の防止が行える。
なお、使用済みマスタ７９の排版ボックス８２への排版後は、前述したように製版済みマスタの給版を行う。
【００５５】
［実施例３］
次に、図８〜図１１を参照して第３の実施例を説明する。本実施例では、実施例１，２と基本的な構成は同じだが、排版ローラ８０の代わりに、印刷ドラムに接離可能な排版ローラ２０を用いた点が異なる。
【００５６】
図８は本実施例における排版ローラ２０の構成、動作の説明図である。この排版ローラ２０は、一対の排版ローラ（排版ローラ下２５、排版ローラ上３６）を有し、排版ローラ下２５の軸２３を中心に左右に揺動し、排版ローラ上２６が、印刷ドラム６０の外面に接離可能になっている。
排版ローラ下２５の中心軸２３は、回転可能に図示しない本体側板に支持され、更に軸２３の片端には図示しないギヤやモータ等からなる駆動部が設けられ、排版ローラ下２５を回転駆動している。
排版ローラ上２６は、軸２４を介して板状のブラクット２７に回転自在に支持されつつ、排版ローラ下２５に押圧され、排版ローラ下２５の回転駆動に従動して回転する。
【００５７】
ブラケット２７は、軸２３の手前と奥側に回転可能に支持されている。ブラケット２７には、可動ロッドと電磁コイルを有する電磁式のソレノイド（ＳＯＬ）２１が設置され、このソレノイド２１は、図示しない本体側板に固定してある。
通常は、ソレノイド２１とブラケット２７の間に介在させた圧縮ばね２２によって、ブラケット２７は図８（ｂ）の実線の位置（退避位置）にあり、排版動作時には、ソレノイド２１をＯＮにし、破線位置にソレノイド２１の電磁吸引力でブラケット２７を移動し、剥離位置で排版ローラ上２６をマスタを介して印刷ドラム６０に押圧するようになっている。
【００５８】
次に、上記の排版ローラ２０を用いた時の剥離、排版、再巻装動作について説明する。
前述の実施形態の印刷工程で所定枚数の印刷を行い、印刷終了後に次の動作の指示が何も無い状態が続くと、機械本体内のメイン制御部１００の中央処理装置（ＣＰＵ）１０１に備えられているタイマーのカウントが開始され、予め設定された所定時間に到達すると、省電力モードへ自動的に移行して機械待機状態となる（図９の（III−１）の状態）。
【００５９】
次に、オペレータが原稿画像読取部５４の上部に配置された原稿受け台（コンタクトガラス面）上に印刷すべき画像を持つ原稿５５をセットし、図２に示す操作パネル上のプリントスピードキー２１７及びテンキー２１９等により所望の印刷条件を設定する。
その後、操作パネル上のスタートキー２２２を押下すると前述の排版工程が開始される。すなわち印刷ドラム６０が図１中の矢印方向（時計回り方向）へ回転した後、停止する。そして、印刷ドラム６０の外周面に巻装された使用済みマスタ７９の後端部が、剥離、排版手段である一対の排版ローラ２０からなるローラユニットに近づくと、排版ローラ２０が回転しつつマスタ端部をすくい上げ、マスタ７９の後端が排版ローラ２０に咥え込まれる（図９の（III−２）の状態）。
この状態で排版ローラ２０のソレノイド２１に通電され、マスタの剥離位置で排版ローラ上２６が、マスタ７９を介して印刷ドラム６０に押圧される（図１０の（III−３）の状態）。
【００６０】
マスタ７９の後端が排版ローラ２０に咥え込まれた後、印刷ドラム６０は逆方向（反時計回り方向）に回転し、使用済みのマスタ７９は排版ローラ２０の回転により印刷ドラム６０から剥離され排版ボックス８２内に所定量送り込まれる。
マスタ７９の所定の量が排版ボックス８２内に送り込まれると、印刷ドラム６０及び排版ローラ２０の回転が停止する（図１０の（III−４）の状態）。なお、この状態では、再巻装を行うために、印刷ドラム６０のマスタクランパ６５はマスタ先端を挟持したままである。
【００６１】
続いて、印刷ドラム６０が逆方向（時計回り方向）に回転を開始し、排版ボックス８２内のマスタを引き出しつつ、使用済みマスタ７９を再び印刷ドラム６０上に巻き付ける（再巻装動作）（図１１の（III−５）の状態）。
【００６２】
以上のようにして、印刷ドラム６０から一旦剥離した使用済みマスタ７９を、再び印刷ドラム６０に巻き付ける（再巻装する）ことにより、印刷ドラム６０上の残像画像を押し潰したり、マスタ７９に付着していたインキと混ぜることで、残像画像を判らなくすることができる。
さらに、本実施例では、剥離、排版、再巻装動作時に、剥離位置のマスタ７９に排版ローラ上２６を押し付けながら排版、再巻装を行うので、より効果的に残像画像を押し潰すことが可能になる。
【００６３】
以上のようにして使用済みマスタ７９を印刷ドラム６０に巻き付けた後、ソレノイド２１への通電がＯＦＦされ、排版ローラ上２６が解除される。
そして、再度、排版動作を行う。この再度の排版動作では、マスタクランパ６５が開放されると共に排版部１１０が駆動し、排版ローラ２０が回転しつつマスタ後端部を排版ボックス８２内へと送り込みはじめる。この時も上記と同様に、排版ローラ２０のソレノイド２１に通電し、排版ローラ上２６を、マスタ７９を介して印刷ドラム６０に押圧しても良く、残像画像をより効果的に消去できるが、この場合には、マスタ７９の先端側（マスタクランパ側の端部）が排紙ローラ上２６を通過する前にソレノイド２１への通電をＯＦＦにし、排版ローラ上２６の押圧を解除する。
なお、使用済みマスタ７９の排版ボックス８２への排版後は、前述したように製版済みマスタの給版を行う。
【００６４】
本実施例では、実施例１と同じように、使用済みマスタ７９の略全量を剥離、排版してから印刷ドラム６０に再巻装を行うようにしているが、実施例２のように、所定量づつの剥離、排版と、再巻装を間欠的に行うような構成としてもよい。
【００６５】
以上に説明した本発明の実施例では、印刷終了後の一定時間が過ぎた後での印刷動作（排版動作）のときに、本発明の動作（剥離、排版、最巻装動作）を行うようにしたが、一定時間過ぎない、直ぐの排版動作の時にも行うようにしてもよい。
また、印刷中にも、若干ではあるが、画像部と非画像部とでインキの物性に変化が生じている。これは印刷枚数が多いと、その影響が大きくなる。従って、印刷枚数によって、剥離、排版、最巻装動作の実施の有無を判断するようにしてもよい。
【図面の簡単な説明】
【００６６】
【図１】本発明の一実施形態を示す孔版印刷装置の概略構成図である。
【図２】図１に示す孔版印刷装置の操作・表示部である操作パネルの一例を示す平面図である。
【図３】図１に示す孔版印刷装置の制御系の一例を示すブロック図である。
【図４】本発明の第１の実施例の孔版印刷装置の動作の説明図である。
【図５】本発明の第１の実施例の孔版印刷装置の動作の説明図である。
【図６】本発明の第２の実施例の孔版印刷装置の動作の説明図である。
【図７】本発明の第２の実施例の孔版印刷装置の動作の説明図である。
【図８】本発明の第３の実施例の孔版印刷装置に用いる排版ローラの構成、動作の説明図である。
【図９】本発明の第３の実施例の孔版印刷装置の動作の説明図である。
【図１０】本発明の第３の実施例の孔版印刷装置の動作の説明図である。
【図１１】本発明の第３の実施例の孔版印刷装置の動作の説明図である。
【符号の説明】
【００６７】
２０：排版ローラ
２１：ソレノイド（ＳＯＬ）
２２：圧縮ばね
２３：排版ローラ下の軸
２４：排版ローラ上の軸
２５：排版ローラ下
２６：排版ローラ上
２７：ブラケット
５０：本体フレーム
５１：給紙台
５２：排紙台
５３：排紙台後側板
５４：原稿画像読取部
５５：原稿
５６：印刷用紙（給紙側）
５７：印刷用紙（排紙側）
６０：印刷ドラム（版胴）
６１：インキローラ
６２：ドクタローラ
６３：インキ量検知センサ
６４：インキ分配器
６５：マスタクランパ
６６：圧胴（押圧手段）
６７：印刷用紙クランパ
７０：マスターロール
７１：押えローラ
７２：プラテンローラ
７３：サーマルヘッド
７４：送りローラ
７５：給版ローラ
７６：タワミ収容部
７７：吸引ファン
７８：カッター
７９：製版済みマスタ（使用済みマスタ）
８０：排版ローラ
８１：圧縮板
８２：排版ボックス
８３：排版済みマスタ
９０：給紙コロ
９１：分離コロ
９２：分離パッド
９３：フィードローラ
９４：排紙剥離爪
９５：吸着排紙入口ローラ
９６：吸着排紙出口ローラ
９７：用紙搬送ベルト
９８：吸着ファン
９９：エアーナイフユニット
１００：メイン制御部
１０１：中央処理装置（ＣＰＵ）
１０２：Ｉ／Ｏインターフェイス
１０３：ＲＯＭ
１０４：ＲＡＭ
１０５：操作・表示部（操作パネル）
１０６：画像読取部（読取駆動手段）
１０７：製版部（製版駆動手段）
１０８：印刷部（印刷駆動手段）
１０９：給紙部（給紙駆動手段）
１１０：排版部（排版、再巻装駆動手段）
１１１：排紙部（排紙駆動手段）
２００：画像コントラストつまみ
２０１：プリント位置調整キー
２０２：初期設定キー
２０３：プリント位置設定キー
２０４：プリンタ設定キー
２０５：表示部
２０６：設定確認キー
２０７：プログラムキー
２０８：リセットキー
２０９：オンライン製版キー
２１０：製版モード選択キー
２１１：連続キー
２１２：プリントモード選択キー
２１３：主電源ランプ
２１４，２２１：試し刷りキー
２１５：データイン表示ランプ
２１６：アラーム表示ランプ
２１７：プリントスピードキー
２１９：テンキー
２２０：クリア／ストップキー
２２２：スタートキー
２２３：主電源キー
２２４：液晶表示パネル
【図１】
2009143076.tif 000003
【図２】
2009143076.tif 000004
【図３】
2009143076.tif 000005
【図４】
2009143076.tif 000006
【図５】
2009143076.tif 000007
【図６】
2009143076.tif 000008
【図７】
2009143076.tif 000009
【図８】
2009143076.tif 000010
【図９】
2009143076.tif 000011
【図１０】
2009143076.tif 000012
【図１１】
2009143076.tif 000013